(57)【特許請求の範囲】
【請求項１】
出国審査レーンの入口側に設置される出国受付システムと、出口側に設置される出国改札システムと、前記出国受付システム及び前記出国改札システムに接続されて出国可否の判定を行う出国審査システムと、を備える出国審査系システムであって、
前記出国受付システムは、
旅券の発給対象者に固有のＩＤ番号を少なくとも記憶する記憶部を有する前記旅券から、前記ＩＤ番号を読み取る第１の読取装置と、
前記旅券の所持者を撮影して得られる所持者画像データを取得する撮影装置と、
当該旅券の所持者が前記出国改札システムの設置場所に到達するまでの間に、前記ＩＤ番号と前記所持者画像データとを前記出国審査システムに送信する所持者情報送信装置と、
を備え、
前記出国審査システムは、
外部の旅券発給機関から通信ネットワークを通じて供給される、旅券の発給対象者に固有のＩＤ番号と、前記旅券の発給時に前記発給対象者を撮影して得られる発給対象者画像データと、を含む発給対象者情報を記憶する発給対象者情報記憶装置と、
前記所持者情報送信装置によって送信された、前記ＩＤ番号と前記所持者画像データとを受信する所持者情報受信装置と、
前記受信した前記ＩＤ番号と前記所持者画像データとを対応付けて記憶する所持者情報記憶装置と、
前記発給対象者情報記憶装置から、前記受信した前記ＩＤ番号と一致するＩＤ番号を含む発給対象者情報を抽出し、前記所持者情報記憶装置から、前記受信した前記ＩＤ番号に対応付けられている所持者画像データを抽出するデータ抽出部と、
前記発給対象者情報記憶装置から抽出した前記発給対象者情報に含まれている発給対象者画像データと、前記所持者情報記憶装置から抽出した前記所持者画像データと、を照合する画像データ照合装置と、
前記発給対象者情報記憶装置から抽出した前記発給対象者情報の正当性を判定する正当性判定装置と、
前記旅券の所持者が前記出国改札システムの設置場所に到達するまでの間に、前記画像データの照合結果と、前記発給対象者情報の正当性の判定結果とに基づいて、当該旅券の所持者の出国の可否を判定する出国可否判定装置と、
前記出国可否の判定結果を、前記所持者情報送信装置によって送信された前記ＩＤ番号と対応付けて、前記所持者情報記憶装置に記憶する判定結果記憶部と、
を備え、
前記出国改札システムは、
前記旅券の所持者が所持する当該旅券の前記記憶部から、当該旅券の発給対象者に固有のＩＤ番号を読み取る第２の読取装置と、
前記出国審査システムに、前記読み取ったＩＤ番号を送信するＩＤ番号送信装置と、
前記出国審査システムから、前記ＩＤ番号と対応付けて前記所持者情報記憶装置に記憶されている出国可否の判定結果を受信する判定結果受信部と、
前記受信した出国可否の判定結果に応じて、前記旅券の所持者による改札の通過を許可あるいは不許可とする改札通過判定装置と、
を備えることを特徴とする出国審査系システム。
【請求項２】
出国審査レーンの入口側に設置される出国受付システムと、出口側に設置される出国改札システムと、前記出国受付システム及び前記出国改札システムに接続されて出国可否の判定を行う出国審査システムと、を備える出国審査系システムを用いた出国審査方法であって、
前記出国受付システムが、旅券の発給対象者に固有のＩＤ番号を少なくとも記憶する記憶部を有する前記旅券から、前記ＩＤ番号を読み取り、
前記出国受付システムが、前記旅券の所持者を撮影して得られる所持者画像データを取得し、
前記出国受付システムが、当該旅券の所持者が前記出国改札システムの設置場所に到達するまでの間に、前記ＩＤ番号と前記所持者画像データとを前記出国審査システムに送信し、
前記出国審査システムが、外部の旅券発給機関から通信ネットワークを通じて供給される、旅券の発給対象者に固有のＩＤ番号と、前記旅券の発給時に前記発給対象者を撮影して得られる発給対象者画像データと、を含む発給対象者情報を、発給対象者情報記憶装置に記憶し、
前記出国審査システムが、前記出国受付システムから送信された、前記ＩＤ番号と前記所持者画像データとを受信し、
前記出国審査システムが、前記受信した前記ＩＤ番号と前記所持者画像データとを対応付けて所持者情報記憶装置に記憶し、
前記出国審査システムが、前記発給対象者情報記憶装置から、前記受信した前記ＩＤ番号と一致するＩＤ番号を含む発給対象者情報を抽出し、前記所持者情報記憶装置から、前記受信した前記ＩＤ番号に対応付けられている所持者画像データを抽出し、
前記出国審査システムが、前記発給対象者情報記憶装置から抽出した前記発給対象者情報に含まれている発給対象者画像データと、前記所持者情報記憶装置から抽出した前記所持者画像データと、を照合し、
前記出国審査システムが、前記発給対象者情報記憶装置から抽出した前記発給対象者情報の正当性を判定し、
前記出国審査システムが、前記旅券の所持者が前記出国改札システムの設置場所に到達するまでの間に、前記画像データの照合結果と、前記発給対象者情報の正当性の判定結果とに基づいて、当該旅券の所持者の出国の可否を判定し、
前記出国審査システムが、前記出国可否の判定結果を、前記出国受付システムから送信された前記ＩＤ番号と対応付けて、前記所持者情報記憶装置に記憶し、
前記出国改札システムが、前記旅券の所持者が所持する当該旅券の前記記憶部から、当該旅券の発給対象者に固有のＩＤ番号を読み取り、
前記出国改札システムが、前記出国審査システムに、前記読み取ったＩＤ番号を送信し、
前記出国改札システムが、前記出国審査システムから、前記ＩＤ番号と対応付けて前記所持者情報記憶装置に記憶されている出国可否の判定結果を受信し、
前記出国改札システムが、前記受信した出国可否の判定結果に応じて、前記旅券の所持者による改札の通過を許可あるいは不許可とする
ことを特徴とする出国審査方法。
【請求項３】
入国審査レーンの入口側に設置される入国受付システムと、出口側に設置される入国改札システムと、前記入国受付システム及び前記入国改札システムに接続されて入国可否の判定を行う入国審査システムと、を備える入国審査系システムであって、
前記入国受付システムは、
旅券の発給対象者に固有のＩＤ番号を少なくとも記憶する記憶部を有する前記旅券から、前記ＩＤ番号を読み取る第１の読取装置と、
前記旅券の所持者を撮影して得られる所持者画像データを取得する撮影装置と、
当該旅券の所持者が前記入国改札システムの設置場所に到達するまでの間に、前記ＩＤ番号と前記所持者画像データとを前記入国審査システムに送信する所持者情報送信装置と、
を備え、
前記入国審査システムは、
入国予定者が所持している旅券の前記記憶部に記憶されている、当該旅券の発給対象者に固有のＩＤ番号と、前記入国予定者が出発地において出国受付を行なった際に当該入国予定者を撮影して得られた入国予定者画像データと、を含む入国予定者情報を記憶する入国予定者情報記憶装置と、
前記所持者情報送信装置によって送信された、前記ＩＤ番号と前記所持者画像データとを受信する所持者情報受信装置と、
前記受信した前記ＩＤ番号と前記所持者画像データとを対応付けて記憶する所持者情報記憶装置と、
前記入国予定者情報記憶装置から、前記受信した前記ＩＤ番号と一致するＩＤ番号を含む入国予定者情報を抽出し、前記所持者情報記憶装置から、前記受信した前記ＩＤ番号に対応付けられている所持者画像データを抽出するデータ抽出部と、
前記入国予定者情報記憶装置から抽出した前記入国予定者情報に含まれている入国予定者画像データと、前記所持者情報記憶装置から抽出した前記所持者画像データと、を照合する画像データ照合装置と、
前記入国予定者情報記憶装置から抽出した前記入国予定者情報の正当性を判定する正当性判定装置と、
前記旅券の所持者が前記入国改札システムの設置場所に到達するまでの間に、前記画像データの照合結果と、前記入国予定者情報の正当性の判定結果とに基づいて、当該所持者の入国の可否を判定する入国可否判定装置と、
前記入国可否の判定結果を、前記所持者情報送信装置によって送信された前記ＩＤ番号と対応付けて、前記入国予定者情報記憶装置に記憶する判定結果記憶部と、
を備え、
前記入国改札システムは、
前記旅券の所持者が所持する当該旅券の前記記憶部から、当該旅券の発給対象者に固有のＩＤ番号を読み取る第２の読取装置と、
前記入国審査システムに、前記読み取ったＩＤ番号を送信するＩＤ番号送信装置と、
前記入国審査システムから、前記ＩＤ番号と対応付けて前記入国予定者情報記憶装置に記憶されている入国可否の判定結果を受信する判定結果受信部と、
前記受信した入国可否の判定結果に応じて、前記旅券の所持者による改札の通過を許可あるいは不許可とする改札通過判定装置と、
を備えることを特徴とする入国審査系システム。
【請求項４】
入国審査レーンの入口側に設置される入国受付システムと、出口側に設置される入国改札システムと、前記入国受付システム及び前記入国改札システムに接続されて入国可否の判定を行う入国審査システムと、を備える入国審査系システムを用いた入国審査方法であって、
前記入国受付システムが、旅券の発給対象者に固有のＩＤ番号を少なくとも記憶する記憶部を有する前記旅券から、前記ＩＤ番号を読み取り、
前記入国受付システムが、前記旅券の所持者を撮影して得られる所持者画像データを取得し、
前記入国受付システムが、当該旅券の所持者が前記入国改札システムの設置場所に到達するまでの間に、前記ＩＤ番号と前記所持者画像データとを前記入国審査システムに送信し、
前記入国審査システムが、入国予定者が所持している旅券の前記記憶部に記憶されている、当該旅券の発給対象者に固有のＩＤ番号と、前記入国予定者が出発地において出国受付を行なった際に当該入国予定者を撮影して得られた入国予定者画像データと、を含む入国予定者情報を入国予定者情報記憶装置に記憶し、
前記入国審査システムが、前記入国受付システムから送信された、前記ＩＤ番号と前記所持者画像データとを受信し、
前記入国審査システムが、前記受信した前記ＩＤ番号と前記所持者画像データとを対応付けて所持者情報記憶装置に記憶し、
前記入国審査システムが、前記入国予定者情報記憶装置から、前記受信した前記ＩＤ番号と一致するＩＤ番号を含む入国予定者情報を抽出し、前記所持者情報記憶装置から、前記受信した前記ＩＤ番号に対応付けられている所持者画像データを抽出し、
前記入国審査システムが、前記入国予定者情報記憶装置から抽出した前記入国予定者情報に含まれている入国予定者画像データと、前記所持者情報記憶装置から抽出した前記所持者画像データと、を照合し、
前記入国審査システムが、前記入国予定者情報記憶装置から抽出した前記入国予定者情報の正当性を判定し、
前記入国審査システムが、前記旅券の所持者が前記入国改札システムの設置場所に到達するまでの間に、前記画像データの照合結果と、前記入国予定者情報の正当性の判定結果とに基づいて、当該所持者の入国の可否を判定し、
前記入国審査システムが、前記入国可否の判定結果を、前記入国受付システムから送信された前記ＩＤ番号と対応付けて、前記入国予定者情報記憶装置に記憶し、
前記入国改札システムが、前記旅券の所持者が所持する当該旅券の前記記憶部から、当該旅券の発給対象者に固有のＩＤ番号を読み取り、
前記入国改札システムが、前記入国審査システムに、前記読み取ったＩＤ番号を送信し、
前記入国改札システムが、前記入国審査システムから、前記ＩＤ番号と対応付けて前記入国予定者情報記憶装置に記憶されている入国可否の判定結果を受信し、
前記入国改札システムが、前記受信した入国可否の判定結果に応じて、前記旅券の所持者による改札の通過を許可あるいは不許可とする
ことを特徴とする入国審査方法。
【発明の詳細な説明】
【０００１】
【発明の属する技術分野】
本発明は、出国審査系システム、出国審査方法、入国審査系システム、及び入国審査方法に関する。
【０００２】
【従来の技術】
国際便が発着陸する空港や港等で行われている出入国管理を自動化する技術が開発されており、例えば特開平５−３５９３５号公報や特開平１０−１５７３５２号公報に記載された出入国管理技術がある。
【０００３】
この特開平５−３５９３５号公報に記載された発明にあっては、基本的には独立型（stand-alone）の出入国管理システムが開示されており、実際の出入国審査の際に、ＩＣカード型の旅券（パスポート）に記憶された顔写真の画像データを読み取る。この読み取った画像データと、その場で撮影した顔写真の画像データとを照合し、その一致の有無を旅券所持人物の正当性の判断要素としている。また、この出入国管理システムは不法出入国者のデータ等の各種の情報を通信ネットワーク経由でダウンロードできる構成となっている。
【０００４】
また、特開平１０−１５７３５２号公報に記載された情報管理システムにあっては、実際の出入国審査の際に、国内外の旅券管理システムに通信ネットワークを通じて接続し、当該システム内に登録された指紋情報をダウンロードする。ダウンロードされた指紋情報と、ＩＣカード型の旅券に記憶された指紋情報とを照合し、その一致の有無を旅券所持人物の正当性の判断要素としている。
【０００５】
【発明が解決しようとする課題】
前述したような従来の技術では、審査の迅速化や効率化には未だ不十分である。すなわち、各渡航者がそれぞれ入出国審査を受けるたびに、一人ひとり、指紋情報をダウンロードすべく、通信ネットワークを通じて国内外の旅券管理システムに接続するのでは、その通信時間がかかるのである。各人毎の通信時間を累積すると膨大な時間の損失となり、審査の遅延はとても解消されないのである。  また、到着便に搭乗した入国者について出国審査の際に得られた情報が入国の際の審査で活用されないため、不正な入国の防止が完全とは言い難い。
【０００６】
本発明は、このような課題を鑑みてなされたのであり、その目的は、より迅速かつ効率的で、不正な入国をより防止できる入出国審査を実現する技術を提供することにある。
【０００７】
【課題を解決するための手段】
本発明に係る出国審査系システムにあっては、出国審査レーンの入口側に設置される出国受付システムと、出口側に設置される出国改札システムと、前記出国受付システム及び前記出国改札システムに接続されて出国可否の判定を行う出国審査システムと、を備え、前記出国受付システムは、旅券の発給対象者に固有のＩＤ番号を少なくとも記憶する記憶部を有する前記旅券から、前記ＩＤ番号を読み取る第１の読取装置と、前記旅券の所持者を撮影して得られる所持者画像データを取得する撮影装置と、当該旅券の所持者が前記出国改札システムの設置場所に到達するまでの間に、前記ＩＤ番号と前記所持者画像データとを前記出国審査システムに送信する所持者情報送信装置と、を備え、前記出国審査システムは、外部の旅券発給機関から通信ネットワークを通じて供給される、旅券の発給対象者に固有のＩＤ番号と、前記旅券の発給時に前記発給対象者を撮影して得られる発給対象者画像データと、を含む発給対象者情報を記憶する発給対象者情報記憶装置と、前記所持者情報送信装置によって送信された、前記ＩＤ番号と前記所持者画像データとを受信する所持者情報受信装置と、前記受信した前記ＩＤ番号と前記所持者画像データとを対応付けて記憶する所持者情報記憶装置と、前記発給対象者情報記憶装置から、前記受信した前記ＩＤ番号と一致するＩＤ番号を含む発給対象者情報を抽出し、前記所持者情報記憶装置から、前記受信した前記ＩＤ番号に対応付けられている所持者画像データを抽出するデータ抽出部と、前記発給対象者情報記憶装置から抽出した前記発給対象者情報に含まれている発給対象者画像データと、前記所持者情報記憶装置から抽出した前記所持者画像データと、を照合する画像データ照合装置と、前記発給対象者情報記憶装置から抽出した前記発給対象者情報の正当性を判定する正当性判定装置と、前記旅券の所持者が前記出国改札システムの設置場所に到達するまでの間に、前記画像データの照合結果と、前記発給対象者情報の正当性の判定結果とに基づいて、当該旅券の所持者の出国の可否を判定する出国可否判定装置と、前記出国可否の判定結果を、前記所持者情報送信装置によって送信された前記ＩＤ番号と対応付けて、前記所持者情報記憶装置に記憶する判定結果記憶部と、を備え、前記出国改札システムは、前記旅券の所持者が所持する当該旅券の前記記憶部から、当該旅券の発給対象者に固有のＩＤ番号を読み取る第２の読取装置と、前記出国審査システムに、前記読み取ったＩＤ番号を送信するＩＤ番号送信装置と、前記出国審査システムから、前記ＩＤ番号と対応付けて前記所持者情報記憶装置に記憶されている出国可否の判定結果を受信する判定結果受信部と、前記受信した出国可否の判定結果に応じて、前記旅券の所持者による改札の通過を許可あるいは不許可とする改札通過判定装置と、を備える。
【０００８】
本発明に係る出国審査方法にあっては、出国審査レーンの入口側に設置される出国受付システムと、出口側に設置される出国改札システムと、前記出国受付システム及び前記出国改札システムに接続されて出国可否の判定を行う出国審査システムと、を備える出国審査系システムを用いた出国審査方法であって、前記出国受付システムが、旅券の発給対象者に固有のＩＤ番号を少なくとも記憶する記憶部を有する前記旅券から、前記ＩＤ番号を読み取り、前記出国受付システムが、前記旅券の所持者を撮影して得られる所持者画像データを取得し、前記出国受付システムが、当該旅券の所持者が前記出国改札システムの設置場所に到達するまでの間に、前記ＩＤ番号と前記所持者画像データとを前記出国審査システムに送信し、前記出国審査システムが、外部の旅券発給機関から通信ネットワークを通じて供給される、旅券の発給対象者に固有のＩＤ番号と、前記旅券の発給時に前記発給対象者を撮影して得られる発給対象者画像データと、を含む発給対象者情報を、発給対象者情報記憶装置に記憶し、前記出国審査システムが、前記出国受付システムから送信された、前記ＩＤ番号と前記所持者画像データとを受信し、前記出国審査システムが、前記受信した前記ＩＤ番号と前記所持者画像データとを対応付けて所持者情報記憶装置に記憶し、前記出国審査システムが、前記発給対象者情報記憶装置から、前記受信した前記ＩＤ番号と一致するＩＤ番号を含む発給対象者情報を抽出し、前記所持者情報記憶装置から、前記受信した前記ＩＤ番号に対応付けられている所持者画像データを抽出し、前記出国審査システムが、前記発給対象者情報記憶装置から抽出した前記発給対象者情報に含まれている発給対象者画像データと、前記所持者情報記憶装置から抽出した前記所持者画像データと、を照合し、前記出国審査システムが、前記発給対象者情報記憶装置から抽出した前記発給対象者情報の正当性を判定し、前記出国審査システムが、前記旅券の所持者が前記出国改札システムの設置場所に到達するまでの間に、前記画像データの照合結果と、前記発給対象者情報の正当性の判定結果とに基づいて、当該旅券の所持者の出国の可否を判定し、前記出国審査システムが、前記出国可否の判定結果を、前記出国受付システムから送信された前記ＩＤ番号と対応付けて、前記所持者情報記憶装置に記憶し、前記出国改札システムが、前記旅券の所持者が所持する当該旅券の前記記憶部から、当該旅券の発給対象者に固有のＩＤ番号を読み取り、前記出国改札システムが、前記出国審査システムに、前記読み取ったＩＤ番号を送信し、前記出国改札システムが、前記出国審査システムから、前記ＩＤ番号と対応付けて前記所持者情報記憶装置に記憶されている出国可否の判定結果を受信し、前記出国改札システムが、前記受信した出国可否の判定結果に応じて、前記旅券の所持者による改札の通過を許可あるいは不許可とする。
【０００９】
本発明に係る入国審査系システムにあっては、入国審査レーンの入口側に設置される入国受付システムと、出口側に設置される入国改札システムと、前記入国受付システム及び前記入国改札システムに接続されて入国可否の判定を行う入国審査システムと、を備える入国審査系システムであって、前記入国受付システムは、旅券の発給対象者に固有のＩＤ番号を少なくとも記憶する記憶部を有する前記旅券から、前記ＩＤ番号を読み取る第１の読取装置と、前記旅券の所持者を撮影して得られる所持者画像データを取得する撮影装置と、当該旅券の所持者が前記入国改札システムの設置場所に到達するまでの間に、前記ＩＤ番号と前記所持者画像データとを前記入国審査システムに送信する所持者情報送信装置と、を備え、前記入国審査システムは、入国予定者が所持している旅券の前記記憶部に記憶されている、当該旅券の発給対象者に固有のＩＤ番号と、前記入国予定者が出発地において出国受付を行なった際に当該入国予定者を撮影して得られた入国予定者画像データと、を含む入国予定者情報を記憶する入国予定者情報記憶装置と、前記所持者情報送信装置によって送信された、前記ＩＤ番号と前記所持者画像データとを受信する所持者情報受信装置と、前記受信した前記ＩＤ番号と前記所持者画像データとを対応付けて記憶する所持者情報記憶装置と、前記入国予定者情報記憶装置から、前記受信した前記ＩＤ番号と一致するＩＤ番号を含む入国予定者情報を抽出し、前記所持者情報記憶装置から、前記受信した前記ＩＤ番号に対応付けられている所持者画像データを抽出するデータ抽出部と、前記入国予定者情報記憶装置から抽出した前記入国予定者情報に含まれている入国予定者画像データと、前記所持者情報記憶装置から抽出した前記所持者画像データと、を照合する画像データ照合装置と、前記入国予定者情報記憶装置から抽出した前記入国予定者情報の正当性を判定する正当性判定装置と、前記旅券の所持者が前記入国改札システムの設置場所に到達するまでの間に、前記画像データの照合結果と、前記入国予定者情報の正当性の判定結果とに基づいて、当該所持者の入国の可否を判定する入国可否判定装置と、前記入国可否の判定結果を、前記所持者情報送信装置によって送信された前記ＩＤ番号と対応付けて、前記入国予定者情報記憶装置に記憶する判定結果記憶部と、を備え、前記入国改札システムは、前記旅券の所持者が所持する当該旅券の前記記憶部から、当該旅券の発給対象者に固有のＩＤ番号を読み取る第２の読取装置と、前記入国審査システムに、前記読み取ったＩＤ番号を送信するＩＤ番号送信装置と、前記入国審査システムから、前記ＩＤ番号と対応付けて前記入国予定者情報記憶装置に記憶されている入国可否の判定結果を受信する判定結果受信部と、前記受信した入国可否の判定結果に応じて、前記旅券の所持者による改札の通過を許可あるいは不許可とする改札通過判定装置と、を備える。
【００１０】
本発明に係る入国審査方法にあっては、入国審査レーンの入口側に設置される入国受付システムと、出口側に設置される入国改札システムと、前記入国受付システム及び前記入国改札システムに接続されて入国可否の判定を行う入国審査システムと、を備える入国審査系システムを用いた入国審査方法であって、前記入国受付システムが、旅券の発給対象者に固有のＩＤ番号を少なくとも記憶する記憶部を有する前記旅券から、前記ＩＤ番号を読み取り、前記入国受付システムが、前記旅券の所持者を撮影して得られる所持者画像データを取得し、前記入国受付システムが、当該旅券の所持者が前記入国改札システムの設置場所に到達するまでの間に、前記ＩＤ番号と前記所持者画像データとを前記入国審査システムに送信し、前記入国審査システムが、入国予定者が所持している旅券の前記記憶部に記憶されている、当該旅券の発給対象者に固有のＩＤ番号と、前記入国予定者が出発地において出国受付を行なった際に当該入国予定者を撮影して得られた入国予定者画像データと、を含む入国予定者情報を入国予定者情報記憶装置に記憶し、前記入国審査システムが、前記入国受付システムから送信された、前記ＩＤ番号と前記所持者画像データとを受信し、前記入国審査システムが、前記受信した前記ＩＤ番号と前記所持者画像データとを対応付けて所持者情報記憶装置に記憶し、前記入国審査システムが、前記入国予定者情報記憶装置から、前記受信した前記ＩＤ番号と一致するＩＤ番号を含む入国予定者情報を抽出し、前記所持者情報記憶装置から、前記受信した前記ＩＤ番号に対応付けられている所持者画像データを抽出し、前記入国審査システムが、前記入国予定者情報記憶装置から抽出した前記入国予定者情報に含まれている入国予定者画像データと、前記所持者情報記憶装置から抽出した前記所持者画像データと、を照合し、前記入国審査システムが、前記入国予定者情報記憶装置から抽出した前記入国予定者情報の正当性を判定し、前記入国審査システムが、前記旅券の所持者が前記入国改札システムの設置場所に到達するまでの間に、前記画像データの照合結果と、前記入国予定者情報の正当性の判定結果とに基づいて、当該所持者の入国の可否を判定し、前記入国審査システムが、前記入国可否の判定結果を、前記入国受付システムから送信された前記ＩＤ番号と対応付けて、前記入国予定者情報記憶装置に記憶し、前記入国改札システムが、前記旅券の所持者が所持する当該旅券の前記記憶部から、当該旅券の発給対象者に固有のＩＤ番号を読み取り、前記入国改札システムが、前記入国審査システムに、前記読み取ったＩＤ番号を送信し、前記入国改札システムが、前記入国審査システムから、前記ＩＤ番号と対応付けて前記入国予定者情報記憶装置に記憶されている入国可否の判定結果を受信し、前記入国改札システムが、前記受信した入国可否の判定結果に応じて、前記旅券の所持者による改札の通過を許可あるいは不許可とする。
【００１９】
【発明の実施の形態】
本実施の形態に係る出入国管理の技術に関して説明する。図１に、空港を例とする入出国システムの全体構成のブロック図を示す。同図に示すように、本実施の形態では、大きく分けて、出発空港１００側に設置される各種の機器からなる出国審査系システム、到着空港２００側に設置される各種の機器からなる入国審査系システム、及び、旅券発給者（国の機関、外部の旅券発給機関）が所管する旅券管理システムといった、３系統のシステムに分かれる。これら３系統のシステムは、適宜、所定の通信回線や通信ネットワーク（以下、単に「ネットワーク」と総称する）でもって接続される。なお、旅券管理システムは、旅券管理装置１６１及び旅券情報ＤＢ１６２で構成できる。
【００２０】
まず、旅行者の旅券（パスポート）及び発給時の情報の取り扱いについて説明する。国内各地に点在する旅券発給所は、よく知られているように、旅行者の要求に応じ、旅券を発給する。図２の構成概念図に、旅券の主要な部分の一例を示す。同図に示すように、旅券１５０には、顔写真１５１、記載事項１５２、及び記憶媒体（記憶部）１５３が設けられている。旅券１５０に貼付された顔写真１５１は、旅券１５０の発給時に撮影したものであり、記載事項１５２は、旅行者情報として氏名、国籍、性別、生年月日、有効満了日が記載されている。記憶媒体１５３は、情報を記憶する例えばＥＥＰＲＯＭやＲＯＭ等で構成される不揮発性メモリであり、旅券の発給対象たる人物に固有のＩＤ番号が記憶される。このＩＤ番号には国籍の情報が含まれていてもよい。
【００２１】
各旅券発給所は、旅行者に旅券１５０を発給後、記憶媒体１５３に記憶されたＩＤ番号に対して記載事項１５２を対応付け、旅券所有者情報として旅券管理システムに送信する。図１に示すように、旅券管理システム内の旅券管理装置１６１は、受信した旅券所有者情報を旅券情報ＤＢ１６２に格納する。このように、旅券情報ＤＢ１６２に格納された旅券所有者情報は、旅券管理装置１６１を通じてネットワーク経由で、図１の出国審査装置１１５を通じて定期的に旅券所有者ＤＢ１１６に格納される。ここで、この旅券所有者情報ＤＢ１１６のデータベース構造を説明すると、図３に示すように、旅券所有者情報ＤＢ１１６は、旅券に記憶される前述のＩＤ番号３１０に対応して、旅券所有者情報３２０を有する。この旅券所有者情報３２０を構成する各項目としては、旅券番号３２１、国籍３２２、氏名３２３、性別３２４、生年月日３２５、旅券の発行年月日３２６、旅券の有効期間満了日３２７、旅券発給の際に撮影した顔写真の画像データ３２８、及びネガティブ・データ（ネガデータ）３２９がある。ここで、ネガティブ・データ（ネガデータ）とは、不法な出入国や滞在等の経歴を示す。
【００２２】
次に、出国審査に関し、図１を参照にして説明する。各出発空港１００では、前記の出国審査系システムが配備される。この出国審査系システムは、各種の役割や機能を担う各システムの集合体であって、図１では区分けしていないが、チェックインシステム、出国受付システム、出国改札システム、顔写真データ表示システム及び出国審査システムを備える。各システムは、適宜、コンピュータなど情報処理システムを利用する等して構成される。
【００２３】
まず、チェックインカウンター１３０には、詳しくは後述するが、旅券情報読取装置（旅券情報読取手段）１３１及びチェックイン処理装置１３２を有するチェックインシステムが設置されている。旅券情報読取装置１３１はチェックイン処理装置１３２に接続されている。このチェックイン処理装置１３２は前記の出国審査システムに接続されている。また、専用出国審査レーン１１０の入口側には、詳しくは後述するが、旅券情報読取装置１１１、撮影装置１１２、及び出国受付装置１１８を有する出国受付システムが設置されている。旅券情報読取装置１１１及び撮影装置１１２は出国受付装置１１８に接続されている。この出国受付装置１１８は、前記の出国審査システムに接続されている。さらに、専用出国審査レーン１１０の出口側には、詳しくは後述するが、旅券情報読取装置１１３及び出国改札装置１１４を有する出国改札システムが設置されている。旅券情報読取装置１１３は出国改札装置１１４に接続されている。この出国改札装置１１４は前記の出国審査システムに接続されている。さらに、一般審査所１２０には、詳しくは後述するが、顔写真データ表示装置１２１を有する顔写真データ表示システムが設置されている。顔写真データ表示装置１２１は前記の出国審査システムに接続されている。
【００２４】
そして、出国審査システムは、前述した各システムと接続されて各種の情報の送受を行う中枢的な機能を担い、出国審査装置１１５、出国者情報ＤＢ（データベース）１１７及び旅券所有者情報ＤＢ（データベース）１１６を有する。この出国審査装置１１５は、図７に示すように、制御部、表示部、入力部、通信部にて構成されており、旅券所有者情報ＤＢ１１６と出国者情報ＤＢ１１７が記憶部として付帯する。制御部は、旅券所有者情報ＤＢ１１６からのデータ抽出、出国者情報ＤＢ１１７へのデータ格納、出国者情報ＤＢ１１７からのデータ抽出、旅行者情報（有効期間満了日、ネガティブ・データ）の確認、顔写真データの照合を行う。表示部は、旅行者情報の表示、撮影データの表示、審査入力部分の表示を行う。入力部は、審査結果の入力が行われる。通信部は、出国受付装置１１８との通信、出国改札装置１１４との通信、入国審査装置２１５との通信が行われる。なお、後述する入国審査装置２１５も同様の構成と機能を持つ。
【００２５】
つぎに、旅行者による出国審査を経るまでの行動を通じ、前述した各装置の具体的な動作を説明する。まず、チェックイン処理について説明する。図１に示すように、旅行者１４０は、出発空港１００にて、自身が搭乗する航空会社のチェックインカウンター１３０にて、チェックイン処理を行う。まずチェックイン処理装置１３２は、周知の磁気カード読み取り機を利用した公知の装置であって、旅行者１４０が所有する航空券に記載されている便名等の航空情報を読み取り、付帯する公知の記憶装置に記憶させる。旅券情報読取装置１３１は、旅券１５０の記憶媒体１５３からＩＤ番号等の必要な情報を読取り、チェックイン処理装置１３２へ送信する。チェックイン処理装置１３２は、ＩＤ番号等を旅券情報読取装置１３１から受信し、先に記憶した便名と対応付けて、出国審査装置１１５に送信する。出国審査装置１１５は、受信したＩＤ番号を出国者情報ＤＢ１１７の該当する便名ファイルに格納する。ここで、この出国者情報ＤＢ１１７のデータベース構造を図４に示す。同図に示すように、出国者情報ＤＢ１１７は、ＩＤ番号４１０に対応して、出国者情報４２０を有する。この出国者情報４２０を構成する各項目としては、旅券番号４２１、国籍４２２、氏名４２３、性別４２４、生年月日４２５、旅券の発行年月日４２６、旅券の有効期間満了日４２７、出国受付の際に撮影した顔写真の画像データ４２８、専用出国審査レーンの番号４２８及び出国審査の結果である。
【００２６】
つぎに、専用出国審査レーン１１０における旅行者１４０の出国審査処理につき、図１のブロック図、図５及び図６のフローチャートを参照にして説明する。なお、適宜、図３の旅券所有者情報ＤＢと図４の出国者情報ＤＢを参照されたい。まず、旅行者１４０は、チェックイン処理後、旅券１５０の専用出国審査レーン１１０にて、旅券１５０を旅券情報読取装置１１１に差し込むか、または、かざす。このことで、旅券情報読取装置１１１は、旅券１５０に装着された記憶媒体１５３のＩＤ番号を読取る（５００）。この際の様子は図１３に表されており、同図では、専用出国レーン１１０での出国受付におけるゲートや各装置の配置イメージを示している。ＩＤ番号が読取り不可能であれば（５０５：ＮＯ）、出国受付装置１１８は、旅券情報読取装置１１１から通知を受け、ゲートを閉じて一般審査所１２０にて審査を受けるように促す（５０６）。反対に、ＩＤ番号が読取り可能であれば（５０５：ＹＥＳ）、出国受付装置１１８は読取ったＩＤ番号を出国審査装置１１５に送信する（５１０）。出国審査装置１１５は、送信されたＩＤ番号が旅券所有者情報ＤＢ１１６内に格納されているかを確認すべく検索する（５１５）。
【００２７】
ＩＤ番号がない場合（５２０：ＮＯ）、出国受付装置１１８は、出国審査装置１１５から通知を受け、ゲートを閉じて、一般審査所にて審査を受けるように促す（５２１）。さらに、撮影装置１１２は、旅行者１４０の顔写真を撮影し、その画像データ（顔写真データ）を出国受付装置１１８へ送信する。出国受付装置１１８は、受信した顔写真データを一般審査所１２０の顔写真データ表示装置１２１に送信する（５２２）。顔写真データ表示装置１２１は、審査官の審査に供すべく、受信した（５２３）顔写真データを付帯するディスプレイで表示する。
【００２８】
一方、ＩＤ番号がある場合（５２０）、撮影装置１１２は、旅行者１４０の顔写真を撮影し、顔写真データをＩＤ番号と対応付けて、出国受付装置１１８へ送信する。出国受付装置１１８は、受信した顔写真データ及びＩＤ番号を出国審査装置１１５に送信する（５２５）。出国審査装置１１５は、受信したＩＤ番号と顔写真データを出国者情報ＤＢ１１７のＩＤ番号４１０と顔写真データ（出国）４２８に格納する（５３０）。続いて、出国審査装置１１５は、旅券所有者情報ＤＢ１１６から当該ＩＤ番号３１０の旅券所有者情報３２０を抽出するとともに、出国者情報ＤＢ１１７から当該ＩＤ番号４１０の顔写真データ（出国）４２８を抽出する（５３５）。出国審査装置１１５は、抽出した旅行者情報３２０の有効期間満了日３２７、ネガティブデータ（ネガデータ）３２９の判定処理を行い、かつ顔写真データ（登録）３２８と顔写真データ（出国）４２８を画像認識による照合（マッチング）処理を行い、出国可／不可を判定する（５４０）。
【００２９】
この時、顔写真データの照合処理において、技術的に画像認識での照合が困難である場合は、出国審査装置１１５の表示部において、図８に示す画面イメージのように顔写真データ（登録）と顔写真データ（出国）を表示することで、審査官が人為的に照合を行い、審査結果を入力することも可能である。出国審査装置１１５は、出国者情報ＤＢ１１７の当該ＩＤ番号４１０に、顔写真データ（出国）４２８以外の出国者情報４２０と出国審査結果４３０を格納する（５４５）。旅行者１４０は専用出国審査レーン１１０を先に進み、出国改札装置１１４まで来たら立ち止まることとなる。旅行者１４０は、出国改札装置１１４に接続された旅券情報読取装置１１３に旅券１５０を差し込む、またはかざす。このことで、旅券情報読取装置１１３は、旅券１５０の記憶媒体１５３のＩＤ番号を読取る（５５０）。続いて、図６のフローチャートに示すように、出国改札装置１１４は、読取ったＩＤ番号を出国審査装置１１５に送信する（５５５）。出国審査装置１１５は、送信されたＩＤ番号から出国者情報ＤＢ１１７に格納された出国審査結果４３０を抽出し、出国改札装置１１４に送信する（５６０）。もし、出国不可能な場合（５６５：ＮＯ）、出国改札装置１１４は、旅行者１４０の通過を許可しない（５６６）。反対に、出国可能な場合（５６５：ＹＥＳ）、出国改札装置１１４は、旅行者１４０の通過を許可する（５７０）。これまでの審査処理を同一の航空便における全ての旅行者１４０に対して行った後、出国審査装置１１５は、出国者情報ＤＢ１１７に格納したＩＤ番号４１０と出国者情報４２０の全情報を一括で、到着空港２００の入国審査装置２１５に送信する（５７５）。
【００３０】
次に、入国審査に関し、図１を参照にして説明する。各到着空港２００では、前記の入国審査系システムが配備される。この入国審査系システムは、各種の役割や機能を担う各システムの集合体であって、図１では区分けしていないが、入国受付システム、入国改札システム、顔写真データ表示システム及び入国審査システムを備える。各システムは、適宜、コンピュータなど情報処理システムを利用する等して構成される。
【００３１】
まず、専用入国審査レーン２１０の入口側には、詳しくは後述するが、旅券情報読取装置２１１、撮影装置２１２、及び入国受付装置２１８を有する入国受付システムが設置されている。旅券情報読取装置２１１及び撮影装置２１２は入国受付装置２１８に接続されている。この入国受付装置２１８は、前記の入国審査システムに接続されている。さらに、専用入国審査レーン２１０の出口側には、詳しくは後述するが、旅券情報読取装置２１３及び入国改札装置２１４を有する入国改札システムが設置されている。旅券情報読取装置２１３は入国改札装置２１４に接続されている。この入国改札装置２１４は前記の入国審査システムに接続されている。さらに、一般審査所２２０には、詳しくは後述するが、顔写真データ表示装置２２１を有する顔写真データ表示システムが設置されている。顔写真データ表示装置２２１は前記の入国審査システムに接続されている。そして、入国審査システムは、前述した各システムと接続されて各種の情報の送受を行う中枢的な機能を担い、入国審査装置２１５、入国者情報ＤＢ（データベース）２１７及び到着便情報ＤＢ（データベース）２１６を有する。この入国審査装置２１５は、図７に示す、前述した出国審査装置１１５と同様の構成と機能を有している。すなわち、入国審査装置２１５は、制御部、表示部、入力部、通信部にて構成されており、図１に示すように到着便情報ＤＢ２１６と入国者情報ＤＢ２１７が記憶部として付帯する。制御部は、到着便情報ＤＢ２１６からのデータ抽出、入国者情報ＤＢ２１７へのデータ格納、入国者情報ＤＢ２１７からのデータ抽出、旅行者情報（有効期間満了日、ネガティブ・データ）の確認、顔写真データの照合を行う。表示部は、旅行者情報の表示、撮影データの表示、審査入力部分の表示を行う。入力部は、審査結果の入力が行われる。通信部は、入国受付装置２１８との通信、入国改札装置２１４との通信、入国審査装置２１５との通信が行われる。
【００３２】
ここで、到着便情報ＤＢ２１６及び入国者情報ＤＢ２１７のデータベース構造を説明する。到着便情報ＤＢ２１６は、図１２に示すように、到着する航空便名９１０に対し、出発時間９２０及び到着時間９３０である。また、入国者情報ＤＢ２１７は、図１１に示すように、ＩＤ番号６１０に対応して、入国者情報６２０を有する。この入国者情報６２０を構成する各項目としては、旅券番号６２１、国籍６２２、氏名６２３、性別６２４、生年月日６２５、旅券の発行年月日６２６、旅券の有効期間満了日６２７、出国受付の際に撮影した顔写真の画像データ６２８、入国受付の際に撮影した顔写真の画像データ６２９、専用入国審査レーンの番号６３０及び出国審査６３１の結果である。
【００３３】
つぎに、専用入国審査レーン２１０における旅行者１４０の入国審査処理につき、図１のブロック図、図９及び図１０のフローチャートを参照にして説明する。また、適宜、図４の出国者情報ＤＢ１１７や図１１の入国者情報ＤＢ２１７及び図１２の到着便情報ＤＢ２１６を参照されたい。なお、この専用入国審査レーン２１０での入国受付における各装置や設備の配置イメージは図１３の出国受付と同様であり、前述した出国に係る各装置や設備と同様の物が配置されている。まず、入国審査装置２１５は、出国審査装置１１５から送信された出国者情報を入国者情報ＤＢ２１７に格納しておく（７００）。専用入国審査レーン２１０に入った旅行者１４０は、旅券１５０を旅券情報読取装置２１１に差し込むまたはかざすことで、旅券情報読取装置２１１は、旅券１５０の記憶媒体１５３のＩＤ番号を読取る（７０５）。もし、ＩＤ番号が読取り不可能であれば（７１０：ＮＯ）、入国受付装置２１８は、旅券情報読取装置２１１から通知を受け、ゲートを閉じて一般審査所２２０にて審査を受けるように促す（７１１）。反対に、ＩＤ番号が読取り可能であれば（７１０：ＹＥＳ）、旅券情報読取装置２１１は、読取ったＩＤ番号を入国受付装置２１８へ送信する。入国受付装置２１８は、受信したＩＤ番号を入国審査装置２１５に送信する（７１５）。入国審査装置２１５は、受信したＩＤ番号が入国者情報ＤＢ２１７内に格納されているかを検索する（７２０）。もし、ＩＤ番号がない場合は（７２５：ＮＯ）、図１０のステップＢから始まるフローチャートに示すように、入国審査装置２１５は、到着便情報ＤＢ２１６にて現時刻をキーに一定時間帯前（例えば２時間前）の到着時間９３０の便名９１０を検索し、その出発空港ＩＤ９２０を抽出する（８００）。入国審査装置２１５は、抽出した全ての出発空港ＩＤ９２０に該当する各出発審査装置１１５に対して、読取ったＩＤ番号を送信して該当のＩＤ番号の登録の有無を問い合わせる（８０５）。この問い合わせを受けた各出国審査装置１１５は、受信したＩＤ番号をキーに出国者情報ＤＢ１１７を検索する（８１０）。旅行者情報が検出された場合は、該当の旅行者情報を入国審査装置２１５に送信する一方、旅行者情報が検出されなかった場合は「旅行者情報なし」の旨のメッセージ情報を入国審査装置２１５へ向けて返信する。入国審査装置２１５は、旅行者情報なしの場合（８２０：ＮＯ）、図１３に示すように、ゲートを閉じて一般審査所２２０にて審査を受けるように促す（８２１）。撮影装置２１２は、旅行者１４０の顔写真を撮影し、入国受付装置２１８から入国審査装置２１５へ顔写真データを送信する。入国審査装置２１５は、受信した顔写真データを一般審査所２２０の顔写真データ表示装置２２１に送信する（８２２）。顔写真データ表示装置２２１は、審査官の操作入力に応じ、受信した顔写真データを付帯するディスプレイに表示する（８２３）。反対に、各出国審査装置１１５で旅行者情報が検出されて「旅行者情報あり」の場合（８２０：ＹＥＳ）、入国審査装置２１５は、入受信した旅行者情報を入国者情報ＤＢ２１６に格納する（８２５）。引き続き、ステップ７３０の処理に移る。
【００３４】
一方、図９の前述したステップ７２５で「ＩＤ番号あり」の場合（７２５：ＹＥＳ）、撮影装置２１２は、旅行者１４０の顔写真を撮影し、その顔写真データをＩＤ番号と対応付けて、入国審査装置２１５に送信する（７３０）。入国審査装置２１５は、受信した顔写真データを入国者情報ＤＢ２１７の当該ＩＤ番号６１０にある顔写真データ（入国）６２９に格納する（７３５）。入国審査装置２１５は、入国者情報ＤＢ２１７から当該ＩＤ番号６１０の入国者情報６２０を抽出する（７４０）。入国審査装置２１５は、抽出した入国者情報６２０において、有効期間満了日６２７の是非の判定処理を行うとともに、顔写真データ（出国）６２８と顔写真データ（入国）６２９を画像認識による照合（マッチング）処理を行い、入国可／不可を判定する（７４５）。なお、この顔写真データの照合処理において、技術的に画像認識での照合が困難である場合は、前述した出国審査処理と同様に、入国審査装置２１５の表示部に図８のように顔写真データ（出国）と顔写真データ（入国）を表示させることで、審査官が人為的に照合と判定を行い、審査結果を入力することも可能である。入国審査装置２１５は、このようにして得られた入国審査結果６３１を入国者情報ＤＢ２１７の該当のＩＤ番号６１０の対応欄に格納する（７５０）。
【００３５】
続いて、旅行者１４０は専用入国審査レーン２１０を先に進み、入国改札装置２１４まで来たら立ち止まる。旅行者１４０は、入国改札装置２１４に接続された旅券情報読み取装置２１３に旅券１５０を差し込む、または、かざす。このことで、旅券情報読取装置２１３は、旅券１５０における記憶媒体１５３のＩＤ番号を読取る（７５５）。図１０のステップＤで始まるフローチャートに示すように、入国改札装置２１４は、読取ったＩＤ番号を入国審査装置２１５に送信する（７６０）。入国審査装置２１５は、送信されたＩＤ番号から入国者情報ＤＢ２１７に格納された該当の入国審査結果６３１を抽出し、入国改札装置２１４に送信する（７６５）。そして、もし入国不可能な場合（７７０：ＮＯ）、入国改札装置２１４は、旅行者１４０の通過を許可しない（７７１）。反対に、入国可能な場合（７７０：ＹＥＳ）、入国改札装置２１４は、旅行者１４０の通過を許可する（７７５）。
【００３６】
ここで、空港ではなく、陸続きの外国に対して電車や車などで入国する場合の入国審査の方法について、図１のブロック図を流用して説明する。まず前提として、旅券１５０発給時において、旅券発給国を識別可能な国コードがＩＤ番号３１０に含まれていることとする。旅行者１４０が入国する際、その国の入国審査所に設置された旅券情報読取装置２１１が旅券１５０のＩＤ番号を読取る。旅券情報読取装置２１１は、読取ったＩＤ番号の国コードに基づき該当する旅券１５０の発給国の旅券情報管理装置１６１に接続し、ＩＤ番号を送信する。旅券情報管理装置１６１は、受信したＩＤ番号から旅券情報ＤＢ１６２に格納されている旅券所有者情報３２０を検出し、入国審査装置２１５に送信する。入国審査装置２１５は受信した旅券所有者情報３２０を入国受付装置２１８に送信し、入国受付装置２１８は受信した旅券所有者情報３２０を付帯するディスプレイに表示する。審査官は、表示された旅券所有者情報３２０と、旅行者１４０が所有する旅券１５０の記載内容１５２及び旅行者１４０の顔を比較して、入国の可否を判定する。
【００３７】
なお、本実施の形態では、撮影装置１１２（撮影装置２１２）と出国改札装置１１４（入国改札装置２１４）を２つに分けて説明したが、撮影装置１１２と出国改札装置１１４を１つの装置にすることも可能である。この場合、旅券情報読取装置１１１／１１４（２１１／２１４）も１つとなり、同装置に接続されることになる。また本実施の形態では、前記の撮影装置により顔写真データを撮影し、顔写真データによる本人認証としたが、他の認証方法として、指紋、静脈、網膜などの生態認証などで行うことも可能である。
【００３８】
本実施の形態にあっては次の効果を奏する。各渡航者（旅行者）がそれぞれ入出国審査を受けるたびに、一人ひとり、識別情報をダウンロードすべく、通信ネットワークを通じて国内外の旅券管理システムに接続する必要がない。したがって、入出国審査を受ける毎の通信時間がかからない。したがって、各人毎の通信時間を累積することによる膨大な時間の損失を解消し、審査の迅速化を格段に高められる。
【００３９】
前述したように、各機能や役割別に構成された各装置や各システムを有機的に結びつけることで、精密かつ円滑な入出国審査を実現できる。
【００４０】
また、到着便に搭乗した入国者について出国審査の際に得られた情報が入国側審査に提供されるため、不正入国の防止向上が図れる。
【００４１】
旅券のＩＤ番号をキーにし、各種の情報やデータの読み出しや書き込み、送受信、照会、及び検索といった処理を入出国審査システム内で実行できるため、高効率且つ円滑な審査処理を実現できる。並びに、各国に設置された入出国審査システム間でも、旅券のＩＤ番号をキーにし、各種の情報やデータの照会ができるため、世界規模で高効率且つ円滑な審査システムを構築できる。
【００４２】
【発明の効果】
入出国審査における各種の確認作業を自動化できるため、当該審査の迅速化及び効率化を図ることができる。また、旅券の改造や変造を防止し、その不正使用を防止することが可能となる。
【図面の簡単な説明】
【図１】  本発明の実施の形態にかかる入出国審査に関し、空港を例とする入出国システムの全体構成を示すブロック図である。
【図２】  本発明の実施の形態にかかる旅券の一例を示す構成の概念図である。
【図３】  本発明の実施の形態にかかる旅券所有者情報ＤＢのデータベース構造を示す図である。
【図４】  本発明の実施の形態にかかる出国者情報ＤＢのデータベース構造を示す図である。
【図５】  本発明の実施の形態にかかる出国審査処理のフローチャートである。
【図６】  本発明の実施の形態にかかる出国審査処理における後半のフローチャートである。
【図７】  本発明の実施の形態にかかる出国審査装置の構成を示すブロック図である。
【図８】  本発明の実施の形態にかかる入国審査装置及び出国審査装置の表示部の画面イメージを示す図である。
【図９】  本発明の実施の形態にかかる入国審査処理を示すフローチャートである。
【図１０】本発明の実施の形態にかかる入国審査処理の一部を示すフローチャートである。
【図１１】  本発明の実施の形態にかかる入国者情報ＤＢのデータベース構造を示す図である。
【図１２】  本発明の実施の形態にかかる到着便情報ＤＢのデータベース構造を示す図である。
【図１３】  本発明の実施の形態にかかる専用出国レーンでの出国受付イメージを示す図である。
【符号の簡単な説明】
１００  出発空港
１１０  専用出国審査レーン
１１１  旅券情報読取装置
１１２  撮影装置
１１３  旅券情報読取装置
１１４  出国改札装置
１１５  出国審査装置
１１６  旅券所有者情報ＤＢ（データベース）
１１７  出国者情報ＤＢ（データベース）
１１８  出国受付装置
１２０  一般審査所
１２１  顔写真データ表示装置
１３０  チェックインカウンター
１３１  旅券情報読取装置
１３２  チェックイン処理装置
１６１  旅券管理装置
１６２  旅券情報ＤＢ
２１０  専用入国審査レーン
２１１  旅券情報読取装置
２１２  撮影装置
２１３  旅券情報読取装置
２１４  入国改札装置
２１５  入国審査装置
２１６  到着便情報ＤＢ（データベース）
２１７  入国者情報ＤＢ（データベース）
２１８  入国受付装置
２２０  一般審査所
２２１  顔写真データ表示装置
【図１】
0003938303.tif 000002
【図２】
0003938303.tif 000003
【図３】
0003938303.tif 000004
【図４】
0003938303.tif 000005
【図５】
0003938303.tif 000006
【図６】
0003938303.tif 000007
【図７】
0003938303.tif 000008
【図８】
0003938303.tif 000009
【図９】
0003938303.tif 000010
【図１０】
0003938303.tif 000011
【図１１】
0003938303.tif 000012
【図１２】
0003938303.tif 000013
【図１３】
0003938303.tif 000014